(57)【要約】【課題】複数のランプのうち、観察に使用される一のランプ以外の、予備のランプの寿命を延ばすとともに、該一のランプが使用可能な状態になるまでの時間を短縮することが可能な内視鏡用光源装置を提供する。【解決手段】本発明の内視鏡用光源装置は、複数のランプと、前記複数のランプのうち、いずれか一のランプを前記照明光の外部への出射光軸上に配置するランプ切替部と、前記複数のランプが正常に動作しているか否かを判定するランプ状態判定部と、オンされることにより、前記各部を起動状態とする主電源スイッチとを有し、前記ランプ状態判定部は、主電源スイッチがオンされた後、前記複数のランプ全てに対する前記ランプ状態判定処理を所定の回数行うとともに、それ以降においては、前記一のランプに対してのみ前記ランプ状態判定処理を行うことを特徴とする。【選択図】図１
2007312929.tif 000002
【特許請求の範囲】
【請求項１】
相互に略同一の波長帯域を有する照明光を出射可能な複数のランプと、
前記複数のランプのうち、いずれか一のランプを前記照明光の外部への出射光軸上に配置するランプ切替部と、
前記複数のランプが正常に動作しているか否かを判定する処理である、ランプ状態判定処理を行うランプ状態判定部と、
オンされることにより、前記ランプ切替部及び前記ランプ状態判定部の各部を起動状態とする主電源スイッチと、
を有する内視鏡用光源装置であって、
前記ランプ状態判定部は、主電源スイッチがオンされた後、前記複数のランプ全てに対する前記ランプ状態判定処理を所定の回数行うとともに、前記複数のランプ全てに対する前記ランプ状態判定処理が該所定の回数行われた以降においては、前記複数のランプのうち、前記出射光軸上に配置された前記一のランプに対してのみ前記ランプ状態判定処理を行うことを特徴とする内視鏡用光源装置。
【請求項２】
さらに、前記複数のランプが、正常な状態または異常な状態の、いずれの状態として点灯または消灯しているかを検出するとともに、該検出結果をランプ状態検出信号として出力するランプ状態検出部を有し、
前記ランプ状態判定部は、前記複数のランプを一ずつ点灯させる制御を行うとともに、前記制御に応じてランプ状態検出部から出力される前記ランプ状態検出信号に基づき、前記ランプ状態判定処理を行うことを特徴とする請求項１に記載の内視鏡用光源装置。
【請求項３】
さらに、前記主電源スイッチがオンされている場合に、前記複数のランプのうち、前記一のランプの状態を点灯状態または消灯状態のいずれかに切り替えるためのランプ電源スイッチを有し、前記ランプ状態判定部は、主電源スイッチがオンされた後、前記ランプ電源スイッチがオン状態またはオフ状態に切り替えられた回数によらず、前記複数のランプ全てに対する前記ランプ状態判定処理を前記所定の回数のみ行うことを特徴とする請求項１または請求項２に記載の内視鏡用光源装置。
【請求項４】
前記所定の回数は、１回であることを特徴とする請求項１乃至請求項３のいずれか一に記載の内視鏡用光源装置。
【請求項５】
相互に略同一の波長帯域を有する照明光を出射可能な複数のランプと、
前記複数のランプのうち、いずれか一のランプを前記照明光の外部への出射光軸上に配置するランプ切替部と、
前記複数のランプが正常に動作しているか否かを判定する処理である、ランプ状態判定処理を行うランプ状態判定部と、
オンされることにより、前記ランプ切替部及び前記ランプ状態判定部の各部を起動状態とする主電源スイッチと、
さらに、前記主電源スイッチがオンされている場合に、前記複数のランプのうち、前記一のランプの状態を点灯状態または消灯状態のいずれかに切り替えるためのランプ電源スイッチと、
を有する内視鏡用光源装置であって、
前記ランプ状態判定部は、前記主電源スイッチがオンされた後、前記ランプ電源スイッチがオフ状態からオン状態へ切り替えられた回数に基づき、前記複数のランプのうち、前記ランプ状態判定処理の処理対象となるランプを選択することを特徴とする内視鏡用光源装置。
【請求項６】
さらに、前記複数のランプが、正常な状態または異常な状態の、いずれの状態として点灯または消灯しているかを検出するとともに、該検出結果をランプ状態検出信号として出力するランプ状態検出部を有し、
前記ランプ状態判定部は、前記複数のランプを一ずつ点灯させる制御を行うとともに、前記制御に応じてランプ状態検出部から出力される前記ランプ状態検出信号に基づき、前記ランプ状態判定処理を行うことを特徴とする請求項５に記載の内視鏡用光源装置。
【請求項７】
前記ランプ状態判定部は、前記ランプ電源スイッチがオフ状態からオン状態へ切り替えられた回数が所定の回数に達する毎に、前記複数のランプ全てに対して前記ランプ状態判定処理を行うとともに、前記ランプ電源スイッチがオフ状態からオン状態に切り替えられた回数が前記所定の回数に達しない場合においては、前記出射光軸上に配置された前記一のランプのみに対して前記ランプ状態判定処理を行うことを特徴とする請求項５または請求項６に記載の内視鏡用光源装置。
【請求項８】
前記ランプ状態判定部は、前記ランプ電源スイッチがオフ状態からオン状態へ切り替えられた回数が所定の回数に達するまでは、前記複数のランプ全てに対して前記ランプ状態判定処理を行うとともに、前記ランプ電源スイッチがオフ状態からオン状態に切り替えられた回数が前記所定の回数に達した以降においては、前記出射光軸上に配置された前記一のランプのみに対して前記ランプ状態判定処理を行うことを特徴とする請求項５または請求項６に記載の内視鏡用光源装置。
【請求項９】
前記複数のランプは、複数のハロゲンランプであることを特徴とする請求項１乃至請求項８のいずれか一に記載の内視鏡用光源装置。
【発明の詳細な説明】
【技術分野】
【０００１】
本発明は、内視鏡用光源装置に関し、特に、複数のランプを有する内視鏡用光源装置に関するものである。
【背景技術】
【０００２】
従来、様々な分野において、該分野に対応した用途を有する光源装置が用いられている。そして、例えば、医療分野における光源装置は、生体の観察の際に照明光を要する装置である、内視鏡等の装置とともに用いられている。
【０００３】
また、内視鏡等の装置とともに用いられる光源装置のなかには、例えば、一のランプの故障等により観察が中断されないように、該一のランプに加えて予備の他のランプを有して構成されている光源装置である、特許文献１に提案されているような内視鏡光源装置がある。
【０００４】
特許文献１の内視鏡光源装置は、複数のランプを有して構成されるとともに、内視鏡光源装置の主電源投入時毎に該複数のランプ各々に対して所定の電圧を印加することにより、該複数のランプ各々に断線等が発生しているか否かを検知可能なチェック機能を有して構成されている。
【０００５】
さらに、近年においては、例えば、装置の主電源スイッチがオン状態の場合に、ランプのみを点灯または消灯させることが可能な、ランプ制御用のスイッチを有する光源装置もまた広く用いられている。
【特許文献１】特開平１０−２９０７８４号公報
【発明の開示】
【発明が解決しようとする課題】
【０００６】
特許文献１の内視鏡光源装置は、前述したような、ランプ制御用のスイッチを有していない構成である。そのため、ユーザは、特許文献１の内視鏡光源装置のランプを点灯または消灯させるには、装置の主電源スイッチをオンまたはオフにする必要が生じる。これにより、特許文献１の内視鏡光源装置においては、起動開始の場合だけではなく、単にランプの点灯及び消灯が行われる場合であっても、使用される一のランプ以外の予備のランプに対し、前述したチェック機能が働くこととなる。そのため、特許文献１の内視鏡光源装置においては、装置の主電源スイッチがオフからオンに切り替えられ、前述したチェック機能が働く毎に、予備のランプに突入電流が流れることとなり、結果として、該予備のランプの寿命が短くなってしまうという課題が生じている。また、特許文献１の内視鏡光源装置においては、装置の主電源スイッチがオフからオンに切り替えられる毎に、使用される一のランプだけではなく、予備のランプに対しても前述したチェック機能が働くため、結果として、観察に使用される一のランプが使用可能な状態になるまでに時間がかかってしまうという課題も生じている。
【０００７】
本発明は、前述した点に鑑みてなされたものであり、複数のランプのうち、観察に使用される一のランプ以外の、予備のランプの寿命を延ばすとともに、該一のランプが使用可能な状態になるまでの時間を短縮することが可能な内視鏡用光源装置を提供することを目的としている。
【課題を解決するための手段】
【０００８】
本発明における第１の内視鏡用光源装置は、相互に略同一の波長帯域を有する照明光を出射可能な複数のランプと、前記複数のランプのうち、いずれか一のランプを前記照明光の外部への出射光軸上に配置するランプ切替部と、前記複数のランプが正常に動作しているか否かを判定する処理である、ランプ状態判定処理を行うランプ状態判定部と、オンされることにより、前記ランプ切替部及び前記ランプ状態判定部の各部を起動状態とする主電源スイッチと、を有する内視鏡用光源装置であって、前記ランプ状態判定部は、主電源スイッチがオンされた後、前記複数のランプ全てに対する前記ランプ状態判定処理を所定の回数行うとともに、前記複数のランプ全てに対する前記ランプ状態判定処理が該所定の回数行われた以降においては、前記複数のランプのうち、前記出射光軸上に配置された前記一のランプに対してのみ前記ランプ状態判定処理を行うことを特徴とする。
【０００９】
本発明における第２の内視鏡用光源装置は、前記第１の内視鏡用光源装置において、さらに、前記複数のランプが、正常な状態または異常な状態の、いずれの状態として点灯または消灯しているかを検出するとともに、該検出結果をランプ状態検出信号として出力するランプ状態検出部を有し、前記ランプ状態判定部は、前記複数のランプを一ずつ点灯させる制御を行うとともに、前記制御に応じてランプ状態検出部から出力される前記ランプ状態検出信号に基づき、前記ランプ状態判定処理を行うことを特徴とする。
【００１０】
本発明における第３の内視鏡用光源装置は、前記第１または前記第２の内視鏡用光源装置において、さらに、前記主電源スイッチがオンされている場合に、前記複数のランプのうち、前記一のランプの状態を点灯状態または消灯状態のいずれかに切り替えるためのランプ電源スイッチを有し、前記ランプ状態判定部は、主電源スイッチがオンされた後、前記ランプ電源スイッチがオン状態またはオフ状態に切り替えられた回数によらず、前記複数のランプ全てに対する前記ランプ状態判定処理を前記所定の回数のみ行うことを特徴とする。
【００１１】
本発明における第４の内視鏡用光源装置は、前記第１乃至前記第３の内視鏡用光源装置において、前記所定の回数は、１回であることを特徴とする。
【００１２】
本発明における第５の内視鏡用光源装置は、相互に略同一の波長帯域を有する照明光を出射可能な複数のランプと、前記複数のランプのうち、いずれか一のランプを前記照明光の外部への出射光軸上に配置するランプ切替部と、前記複数のランプが正常に動作しているか否かを判定する処理である、ランプ状態判定処理を行うランプ状態判定部と、オンされることにより、前記ランプ切替部及び前記ランプ状態判定部の各部を起動状態とする主電源スイッチと、さらに、前記主電源スイッチがオンされている場合に、前記複数のランプのうち、前記一のランプの状態を点灯状態または消灯状態のいずれかに切り替えるためのランプ電源スイッチと、を有する内視鏡用光源装置であって、前記ランプ状態判定部は、前記主電源スイッチがオンされた後、前記ランプ電源スイッチがオフ状態からオン状態へ切り替えられた回数に基づき、前記複数のランプのうち、前記ランプ状態判定処理の処理対象となるランプを選択することを特徴とする。
【００１３】
本発明における第６の内視鏡用光源装置は、前記第５の内視鏡用光源装置において、さらに、前記複数のランプが、正常な状態または異常な状態の、いずれの状態として点灯または消灯しているかを検出するとともに、該検出結果をランプ状態検出信号として出力するランプ状態検出部を有し、前記ランプ状態判定部は、前記複数のランプを一ずつ点灯させる制御を行うとともに、前記制御に応じてランプ状態検出部から出力される前記ランプ状態検出信号に基づき、前記ランプ状態判定処理を行うことを特徴とする。
【００１４】
本発明における第７の内視鏡用光源装置は、前記第５または前記第６の内視鏡用光源装置において、前記ランプ状態判定部は、前記ランプ電源スイッチがオフ状態からオン状態へ切り替えられた回数が所定の回数に達する毎に、前記複数のランプ全てに対して前記ランプ状態判定処理を行うとともに、前記ランプ電源スイッチがオフ状態からオン状態に切り替えられた回数が前記所定の回数に達しない場合においては、前記出射光軸上に配置された前記一のランプのみに対して前記ランプ状態判定処理を行うことを特徴とする。
【００１５】
本発明における第８の内視鏡用光源装置は、前記第５または前記第６の内視鏡用光源装置において、前記ランプ状態判定部は、前記ランプ電源スイッチがオフ状態からオン状態へ切り替えられた回数が所定の回数に達するまでは、前記複数のランプ全てに対して前記ランプ状態判定処理を行うとともに、前記ランプ電源スイッチがオフ状態からオン状態に切り替えられた回数が前記所定の回数に達した以降においては、前記出射光軸上に配置された前記一のランプのみに対して前記ランプ状態判定処理を行うことを特徴とする。
【００１６】
本発明における第９の内視鏡用光源装置は、前記第１乃至前記第８の内視鏡用光源装置において、前記複数のランプは、複数のハロゲンランプであることを特徴とする。
【発明の効果】
【００１７】
本発明における内視鏡用光源装置によると、複数のランプのうち、観察に使用される一のランプ以外の、予備のランプの寿命を延ばすとともに、該一のランプが使用可能な状態になるまでの時間を短縮することが可能である。
【発明を実施するための最良の形態】
【００１８】
以下、図面を参照して本発明の実施形態を説明する。図１から図４は、本発明の実施形態に係るものである。図１は、実施形態に係る内視鏡用光源装置における、要部の構成の一例を示す図である。図２は、図１の内視鏡用光源装置が行う処理の一例を示すフローチャートである。図３は、図１の内視鏡用光源装置が行う処理の、図２とは異なる例を示すフローチャートである。図４は、図１の内視鏡用光源装置が行う処理の、図２及び図３とは異なる例を示すフローチャートである。
【００１９】
本実施形態の内視鏡用光源装置１は、図１に示すように、複数のランプ等を内部に有するとともに、例えば、ライトガイド１０２を内部に具備する内視鏡１０１に対して着脱自在なコネクタ２と、術者等により操作される複数のスイッチ等を具備するフロントパネル３とを外装表面上に有している。また、フロントパネル３は、術者等により操作される複数のスイッチとして、主電源スイッチ３ａ、ランプ電源スイッチ３ｂ、及びモード切替スイッチ３ｃ等のスイッチを有している。
【００２０】
主電源スイッチ３ａは、術者等の操作により、内視鏡用光源装置１の各部の電源状態をオン状態またはオフ状態のうちいずれか一方の状態に切り替えるための、主電源切替指示信号を出力可能な構成を有するスイッチである。
【００２１】
ランプ電源スイッチ３ｂは、主電源スイッチ３ａがオンされている場合に術者等の操作に応じて切り替えられることにより、内視鏡用光源装置１が有する複数のランプのうち、ライトガイド１０２に照明光を供給する一のランプを、点灯状態または消灯状態のうちいずれか一方の状態に切り替えるための、ランプ電源切替指示信号を出力可能な構成を有するスイッチである。なお、本実施形態のランプ電源スイッチ３ｂは、例えば、ライトガイド１０２に照明光を供給する一のランプが点灯している場合に長押しされ、オン状態からオフ状態に切り替えられることにより、該一のランプを消灯させるためのランプ電源切替指示信号を出力するものであるとする。また、本実施形態のランプ電源スイッチ３ｂは、例えば、ライトガイド１０２に照明光を供給する一のランプが消灯している場合に押下され、オフ状態からオン状態に切り替えられることにより、該一のランプを点灯させるためのランプ電源切替指示信号を出力するものであるとする。
【００２２】
モード切替スイッチ３ｃは、術者等の操作により、内視鏡用光源装置１が有する複数のランプのうち、ライトガイド１０２に照明光を供給する一のランプの電源状態を、主電源スイッチ３ａの切り替え状態、または、ランプ電源スイッチ３ｂの切り替え状態のうち、いずれのスイッチの切り替え状態に連動させるかを設定するための、モード設定指示信号を出力可能な構成を有するスイッチである。なお、本実施形態においては、ライトガイド１０２に照明光を供給する一のランプの電源状態が主電源スイッチ３ａの切り替え状態に連動している状態を、自動点灯モードと表すものとする。さらに、本実施形態においては、ライトガイド１０２に照明光を供給する一のランプの電源状態がランプ電源スイッチ３ｂの切り替え状態に連動している状態を、手動点灯モードと表すものとする。
【００２３】
また、本実施形態の内視鏡用光源装置１は、図１に示すように、照明光を出射する照明ユニット４と、照明ユニット４から出射される照明光を光入射側において集光し、光出射側において集光した該照明光をライトガイド１０２に対して供給する集光光学系５と、集光光学系５により集光された照明光の光量を調整する絞り６と、第１ランプ４ａまたは第２ランプ４ｂのうち、内視鏡用光源装置１の外部としてのライトガイド１０２に照明光を供給する一のランプから出射される照明光の出射光軸Ｌ（図１における一点鎖線として示す）に対して直交するように設けられたガイド材７とを内部に有している。なお、本実施形態において、照明ユニット４は、第１ランプ４ａ及び第２ランプ４ｂの２つのランプを有するとともに、ガイド材７に沿って摺動及びスライド可能な構成を有するものであるとする。また、本実施形態において、第１ランプ４ａ及び第２ランプ４ｂは、相互に略同一の波長帯域を有する照明光を出射可能なランプとしての、例えば、ハロゲンランプにより構成されているものであるとする。
【００２４】
さらに、本実施形態の内視鏡用光源装置１は、図１に示すように、絞り６の絞り量の調整を行う絞り駆動部８と、第１ランプ４ａまたは第２ランプ４ｂのいずれかを集光光学系５の光入射側に配置する照明ユニット駆動部９と、第１ランプ４ａ及び第２ランプ４ｂを駆動させるための電圧及び電流を照明ユニット４に対して供給するランプ制御部１０と、絞り駆動部８、照明ユニット駆動部９及びランプ制御部１０の各部に対し、該各部に対する制御に応じた制御信号を出力する装置制御部１１とを内部に有している。
【００２５】
絞り駆動部８は、装置制御部１１から出力される絞り制御信号に基づいて絞り６を駆動させることにより、絞り６における絞り量の調整を行う。
【００２６】
ランプ切替部としての照明ユニット駆動部９は、装置制御部１１から出力される駆動制御信号に基づいて照明ユニット４をスライドさせることにより、第１ランプ４ａまたは第２ランプ４ｂのいずれかを集光光学系５の光入射側に配置する。換言すると、照明ユニット駆動部９は、装置制御部１１から出力される駆動制御信号に基づいて照明ユニット４をスライドさせることにより、第１ランプ４ａまたは第２ランプ４ｂのうち、いずれか一のランプを出射光軸Ｌ上に配置する。
【００２７】
ランプ制御部１０は、照明ユニット４に対する、第１ランプ４ａ及び第２ランプ４ｂを駆動させるための電圧及び電流の供給を、装置制御部１１から出力されるランプ制御信号に基づいて開始または停止するランプ駆動回路１０ａと、第１ランプ４ａ及び第２ランプ４ｂ各々が、正常な状態または異常な状態の、いずれの状態として点灯または消灯しているかを検出し、該検出結果をランプ状態検出信号として装置制御部１１に対して出力する、ランプ状態検出部としてのランプ状態検出回路１０ｂとを有している。なお、本実施形態のランプ状態検出回路１０ｂは、例えば、ランプのフィラメントが固着した状態において点灯している状態を、該ランプが異常な状態として点灯しているとして状態を検出するものとする。また、本実施形態のランプ状態検出回路１０ｂは、例えば、ランプのフィラメントが断線した状態において消灯している状態を、該ランプが異常な状態として消灯しているとして状態を検出するものであるとする。
【００２８】
装置制御部１１は、ＣＰＵ１１ａと、ＣＰＵ１１ａにより行われる各制御に応じた制御信号をＣＰＵ１１ａの制御対象となる各部に出力するとともに、装置制御部１１に入力される各信号をＣＰＵ１１ａに対して出力するインターフェース回路１１ｂとを有して構成されている。
【００２９】
ＣＰＵ１１ａは、フロントパネル３に設けられた各スイッチから出力された後、インターフェース回路１１ｂを介して入力される各指示信号等の信号に基づき、絞り駆動部８、照明ユニット駆動部９及びランプ制御部１０の各部を、インターフェース回路１１ｂを介して制御する。また、ＣＰＵ１１ａは、ランプ制御部１０から出力された後、インターフェース回路１１ｂを介して入力されるランプ状態検出信号に基づき、第１ランプ４ａ及び第２ランプ４ｂを各々点灯または消灯させるための制御を、インターフェース回路１１ｂを介して行う。さらに、ランプ状態判定部としてのＣＰＵ１１ａは、例えば、第１ランプ４ａ及び第２ランプ４ｂを一ずつ点灯させる制御を、インターフェース回路１１ｂを介して行うとともに、前記制御に応じてランプ制御部１０のランプ状態検出回路１０ｂから出力されるランプ状態検出信号に基づき、第１ランプ４ａ及び第２ランプ４ｂが正常に動作しているか否かを判定する処理である、ランプ状態判定処理を行う。なお、前記ランプ状態判定処理の詳細は、図２、図３及び図４の各フローチャートの説明として後述するものとする。
【００３０】
インターフェース回路１１ｂは、一のランプを点灯状態とする制御がＣＰＵ１１ａにより行われた場合、該一のランプを消灯状態とするための制御が正常に行われるまでは、該一のランプを点灯させるためのランプ制御信号をランプ制御部１０のランプ駆動回路１０ａに対して出力する。すなわち、インターフェース回路１１ｂは、ＣＰＵ１１ａに対して出力したランプ制御信号の受信状態に基づき、ＣＰＵ１１ａによる一のランプを消灯状態とする制御が正常に行われたことを検出した場合、該一のランプを消灯させるためのランプ制御信号をランプ制御部１０のランプ駆動回路１０ａに対して出力する。また、インターフェース回路１１ｂは、ＣＰＵ１１ａに対して出力したランプ制御信号の受信状態に基づき、ＣＰＵ１１ａによる一のランプを消灯状態とする制御が正常に行われなかったことを検出した場合、該一のランプを点灯させるためのランプ制御信号をランプ制御部１０に対して出力し続けることにより、該一のランプの点灯状態を維持する。
【００３１】
次に、本実施形態の内視鏡用光源装置１の作用について説明を行う。
【００３２】
まず、術者等の操作により内視鏡用光源装置１の主電源スイッチ３ａがオンされると（図２のステップＳ１）、内視鏡用光源装置１が有する、照明ユニット駆動部９、ランプ制御部１０及び装置制御部１１等の各部が起動状態となる。なお、以降においては、内視鏡用光源装置１の各部が起動状態となった際に、第１ランプ４ａが出射光軸Ｌ上に配置され、第２ランプ４ｂが出射光軸Ｌ外に配置された状態であるとして説明を行うものとする。
【００３３】
その後、装置制御部１１のＣＰＵ１１ａは、インターフェース回路１１ｂを介して入力されるランプ状態検出信号に基づき、出射光軸Ｌ上及び出射光軸Ｌ外のランプである、第１ランプ４ａ及び第２ランプ４ｂの各ランプが消灯しているか否かを検出する。
【００３４】
そして、ＣＰＵ１１ａは、第１ランプ４ａ及び第２ランプ４ｂの各ランプが消灯していることを検出すると（図２のステップＳ２）、インターフェース回路１１ｂを介して入力されるモード設定指示信号に基づき、モード切替スイッチ３ｃが、自動点灯モードまたは手動点灯モードのうち、いずれのモードに設定されているかをさらに検出する。
【００３５】
ＣＰＵ１１ａは、モード切替スイッチ３ｃが自動点灯モードに設定されていることを検出すると（図２のステップＳ３）、後述する図２のステップＳ８に示す処理を続けて行う。
【００３６】
また、ＣＰＵ１１ａは、モード切替スイッチ３ｃが手動点灯モードに設定されていることを検出すると（図２のステップＳ３）、インターフェース回路１１ｂを介して入力されるランプ電源切替指示信号に基づき、ランプ電源スイッチ３ｂが、オン状態またはオフ状態のうち、いずれの状態であるかをさらに検出する。ＣＰＵ１１ａは、ランプ電源スイッチ３ｂがオフ状態であることを検出すると（図２のステップＳ７）、ランプ電源スイッチ３ｂが押下されてオン状態に切り替えられるまでは、第１ランプ４ａ及び第２ランプ４ｂの各ランプを消灯状態とするための制御を行う。また、ＣＰＵ１１ａは、ランプ電源スイッチ３ｂがオン状態であることを検出すると（図２のステップＳ７）、後述する図２のステップＳ８に示す処理を続けて行う。
【００３７】
ＣＰＵ１１ａは、インターフェース回路１１ｂを介して入力されるランプ制御信号に基づき、第１ランプ４ａ及び第２ランプ４ｂの各ランプのうち、少なくとも一のランプが点灯していることを検出すると（図２のステップＳ２）、点灯している該一のランプが、出射光軸Ｌ上に配置されたランプであるか否か、すなわち、第１ランプ４ａであるか否かをさらに検出する。
【００３８】
ＣＰＵ１１ａは、出射光軸Ｌ上に配置された第１ランプ４ａが点灯していることを検出すると（図２のステップＳ４）、後述する図２のステップＳ１２に示す処理を続けて行う。
【００３９】
また、ＣＰＵ１１ａは、出射光軸Ｌ外に配置された第２ランプ４ｂが点灯していることを検出すると（図２のステップＳ４）、インターフェース回路１１ｂを介して第２ランプ４ｂを消灯させるための制御を行う（図２のステップＳ５）とともに、インターフェース回路１１ｂを介して入力されるモード設定指示信号に基づき、モード切替スイッチ３ｃが、自動点灯モードまたは手動点灯モードのうち、いずれのモードに設定されているかをさらに検出する。
【００４０】
ＣＰＵ１１ａは、モード切替スイッチ３ｃが自動点灯モードに設定されていることを検出すると（図２のステップＳ６）、後述する図２のステップＳ１０に示す処理を続けて行う。
【００４１】
また、ＣＰＵ１１ａは、モード切替スイッチ３ｃが手動点灯モードに設定されていることを検出すると（図２のステップＳ６）、インターフェース回路１１ｂを介して入力されるランプ電源切替指示信号に基づき、ランプ電源スイッチ３ｂが、オン状態またはオフ状態のうち、いずれの状態であるかをさらに検出する。
【００４２】
ＣＰＵ１１ａは、ランプ電源スイッチ３ｂがオフ状態であることを検出すると（図２のステップＳ７）、ランプ電源スイッチ３ｂがオン状態になるまでは、第１ランプ４ａ及び第２ランプ４ｂの各ランプを消灯状態とするための制御を行う。
【００４３】
また、ＣＰＵ１１ａは、ランプ電源スイッチ３ｂがオン状態であることを検出すると（図２のステップＳ７）、後述する図２のステップＳ８に示す処理を続けて行う。
【００４４】
ＣＰＵ１１ａは、図２のステップＳ３の処理においてモード切替スイッチ３ｃが自動点灯モードに設定されていることを検出した場合、または、図２のステップＳ７の処理においてランプ電源スイッチ３ｂがオン状態であることを検出した場合のうち、いずれかの場合において、出射光軸Ｌ外に配置された第２ランプ４ｂを点灯させる制御を行う（図２のステップＳ８）。さらに、ＣＰＵ１１ａは、インターフェース回路１１ｂを介して入力されるランプ状態検出信号に基づき、前記制御を行った後の第２ランプ４ｂの状態が、正常な状態または異常な状態のうち、いずれの状態であるかを検出した後（図２のステップＳ８）、第２ランプ４ｂを消灯させるための制御を行う（図２のステップＳ９）。すなわち、ＣＰＵ１１ａは、以上に述べた、図２のステップＳ８に示す処理を行うことにより、出射光軸Ｌ外に配置された第２ランプ４ｂが正常に点灯されるか否かを検出し、該検出結果を保持しつつ以降の処理を行う。
【００４５】
次に、ＣＰＵ１１ａは、図２のステップＳ９に示す処理を行った後、出射光軸Ｌ上に配置された第１ランプ４ａを点灯させる制御を行う（図２のステップＳ１０）。さらに、ＣＰＵ１１ａは、インターフェース回路１１ｂを介して入力されるランプ状態検出信号に基づき、前記制御を行った後の第１ランプ４ａの状態が、正常な状態または異常な状態のうち、いずれの状態であるかを検出するとともに（図２のステップＳ１０）、該検出結果に基づいて第１ランプ４ａの状態が正常であるか否かを判定する。
【００４６】
ＣＰＵ１１ａは、図２のステップＳ１０に示す処理を行った後、第１ランプ４ａが正常に動作していることを検出した場合（図２のステップＳ１１）、出射光軸Ｌ上に配置された第１ランプ４ａを引き続き点灯させるための制御を行う（図２のステップＳ１２）。
【００４７】
また、ＣＰＵ１１ａは、図２のステップＳ１０に示す処理を行った後、第１ランプ４ａが正常に動作していない（異常な状態である）ことを検出した場合（図２のステップＳ１１）、さらに、第２ランプ４ｂの状態が正常であるか否かの判定を行う。なお、ＣＰＵ１１ａは、第１ランプ４ａが正常に動作していないと判定した後、例えば、フロントパネル３に設けられた、図示しない液晶表示パネル等の告知部において、第１ランプ４ａを交換する必要がある旨等を示すための処理をさらに行うものであっても良い。
【００４８】
そして、ＣＰＵ１１ａは、第１ランプ４ａが正常に動作していない状態において、第２ランプ４ｂが正常に動作していると判定した場合（図２のステップＳ１６）、出射光軸Ｌ外に配置された第２ランプ４ｂを出射光軸Ｌ上に移動させるとともに、出射光軸Ｌ上に配置された第１ランプ４ａを出射光軸Ｌ外に移動させる制御を、インターフェース回路１１ｂを介して行う（図２のステップＳ１７）。その後、ＣＰＵ１１ａは、出射光軸Ｌ上に配置された第２ランプ４ｂに対し、前述した、図２のステップＳ１０及びステップＳ１１に示す処理を行う。
【００４９】
また、ＣＰＵ１１ａは、第１ランプ４ａが正常に動作していない状態において、第２ランプ４ｂもまた正常に動作していないと判定した場合（図２のステップＳ１６）、出射光軸Ｌ上のランプ及び出射光軸Ｌ外のランプの各ランプ、すなわち、第１ランプ４ａ及び第２ランプ４ｂの各ランプを消灯させる制御を、インターフェース回路１１ｂを介して行う（図２のステップＳ１８）。なお、ＣＰＵ１１ａは、第１ランプ４ａ及び第２ランプ４ｂが正常に動作していないと判定した後、例えば、フロントパネル３に設けられた、図示しない液晶表示パネル等の告知部において、第１ランプ４ａ及び第２ランプ４ｂの各ランプを交換する必要がある旨等を示すための処理をさらに行うものであっても良い。
【００５０】
ＣＰＵ１１ａは、図２のステップＳ１２に示す処理として、第１ランプ４ａを点灯させる制御を行った後に、インターフェース回路１１ｂを介し、第１ランプ４ａを消灯させるためのランプ電源切替指示信号が入力されたことを検出した場合（図２のステップＳ１３）、第１ランプ４ａを消灯させるための制御を行う（図２のステップＳ１４）。
【００５１】
さらに、ＣＰＵ１１ａは、図２のステップＳ１４に示す処理として、第１ランプ４ａを消灯させる制御を行った後に、インターフェース回路１１ｂを介し、第１ランプ４ａを点灯させるためのランプ電源切替指示信号が入力されたことを検出した場合（図２のステップＳ１５）、前述した、図２のステップＳ１０及びステップＳ１１に示す処理、すなわち、出射光軸Ｌ上に配置された第１ランプ４ａが正常に動作するか否かの判定を再度行う。
【００５２】
以上に述べたように、本実施形態の内視鏡用光源装置１は、主電源スイッチ３ａがオンされた後、ランプ電源スイッチ３ｂがオン状態またはオフ状態に切り替えられた回数によらず、出射光軸Ｌ外のランプである第２ランプ４ｂが正常に点灯されるか否かを検出するための電圧及び電流の供給を１回しか行わない構成を有している。換言すると、本実施形態の内視鏡用光源装置１は、主電源スイッチ３ａがオンされた後、ランプ電源スイッチ３ｂがオン状態またはオフ状態に切り替えられた回数によらず、第１ランプ４ａ及び第２ランプ４ｂの各ランプが正常に点灯されるか否かを検出するための処理を１回のみ行い、それ以降においては、出射光軸Ｌ上に配置された第１ランプ４ａのみに対し、該第１ランプ４ａが正常に点灯されるか否かの検出を行う。そして、内視鏡用光源装置１は、前述した作用により、出射光軸Ｌ外のランプである第２ランプ４ｂに突入電流が流れる回数を抑制している。その結果、本実施形態の内視鏡用光源装置１は、複数のランプのうち、観察に使用される一のランプ以外の、予備のランプの寿命を延ばすことを可能としている。さらに、内視鏡用光源装置１は、前述した作用により、出射光軸Ｌ外のランプである第２ランプ４ｂの状態を検出するための処理を行う回数を従来に比べて減らすことができ、その結果、出射光軸Ｌ上のランプである第１ランプ４ａが使用可能な状態になるまでの時間を短縮することができる。
【００５３】
また、以上に述べたように、本実施形態の内視鏡用光源装置１は、一のランプが点灯状態となった後、該一のランプを消灯状態とするための制御が正常に行われるまでは、該一のランプの点灯状態が維持されるような構成を有している。さらに、以上に述べたように、本実施形態の内視鏡用光源装置１は、ＣＰＵ１１ａに前述したような異常が発生することにより再起動がかけられた場合に、図２のステップＳ２、ステップＳ４、ステップＳ５、ステップＳ６及びステップＳ７に示す各処理を行うような構成を有している。
【００５４】
内視鏡用光源装置１が前述したような構成を有することにより、例えば、術者等が第１ランプ４ａを点灯させつつ観察を行っている最中に、ＣＰＵ１１ａに異常が発生した場合であっても、出射光軸Ｌ上に配置された第１ランプ４ａの点灯状態が維持される。その結果、内視鏡用光源装置１は、術者等が無用な負担を感じることなく観察を行うことを可能としている。また、内視鏡用光源装置１が前述したような構成を有することにより、例えば、ＣＰＵ１１ａに異常が発生し、主電源スイッチ３ａがオンされた直後の状態にＣＰＵ１１ａの状態がリセットされた場合においても、出射光軸Ｌ外に配置された第２ランプ４ｂを速やかに消灯させることができる。その結果、内視鏡用光源装置１は、観察に使用されない（予備の）ランプである第２ランプ４ｂの寿命を延ばすことを可能としている。
【００５５】
なお、本実施形態の内視鏡用光源装置１は、前述した、図２のフローチャートに示す処理に加え、ランプ電源スイッチ３ｂがオフ状態からオン状態へと切り替えられた回数、すなわち、出射光軸Ｌ上に配置された第１ランプ４ａが消灯状態から点灯状態へと切り替えられた回数に基づいて処理対象となるランプを選択するような、以降に記す処理を行うものであっても良い。
【００５６】
出射光軸Ｌ上に配置された第１ランプ４ａが消灯状態から点灯状態へと切り替えられた回数に基づいて処理対象となるランプが選択される処理を含む一例としての、図３のフローチャートに示す処理は、図２のフローチャートに示す処理の、ステップＳ９の処理の後にステップＳ９ａの処理が加えられているとともに、ステップＳ１５の処理の後にステップＳ１５ａ及びステップＳ１５ｂの処理が加えられている。
【００５７】
具体的には、図３のステップＳ９ａに示す処理において、出射光軸Ｌ上に配置された第１ランプ４ａが消灯状態から点灯状態へと切り替えられた回数（ＬＡＭＰ＿ＣＯＵＮＴ）がＣＰＵ１１ａによりカウントされた後、図３のステップＳ１５ａに示す処理において、該回数（ＬＡＭＰ＿ＣＯＵＮＴ）がＭ回に達したか否かがＣＰＵ１１ａにより判定される。そして、ＬＡＭＰ＿ＣＯＵＮＴがＭ回に達した場合には、図３のステップＳ１５ｂに示す処理において、ＬＡＭＰ＿ＣＯＵＮＴが０に設定された後、図３のステップＳ８に示す処理が引き続き行われる。一方、ＬＡＭＰ＿ＣＯＵＮＴがＭ回ではない場合には、該ＬＡＭＰ＿ＣＯＵＮＴの値がＣＰＵ１１ａにより保持されつつ、図３のステップＳ９ａに示す処理が引き続き行われる。なお、図３のフローチャートに示す処理のうち、ステップＳ９ａ、ステップＳ１５ａ及びステップＳ１５ｂ以外の処理については、前述した、図２のフローチャートに示す処理と同様の処理であるため、ここでは説明を省略する。
【００５８】
内視鏡用光源装置１は、以上に述べた、図３のフローチャートに示す処理を行う場合、主電源スイッチ３ａがオンされた後、第１ランプ４ａが消灯状態から点灯状態へとＭ回切り替わる毎に、すなわち、ランプ電源スイッチ３ｂがオフ状態からオン状態へ切り替えられた回数がＭ回に達する毎に、出射光軸Ｌ上に配置された第１ランプ４ａと、出射光軸Ｌ外のランプである第２ランプ４ｂとが正常に点灯されるか否かを検出する。換言すると、内視鏡用光源装置１は、以上に述べた、図３のフローチャートに示す処理を行う場合、主電源スイッチ３ａがオンされた後、第１ランプ４ａが消灯状態から点灯状態へとＭ回切り替わるまでは、すなわち、ランプ電源スイッチ３ｂがオフ状態からオン状態へ切り替えられた回数がＭ回に達しない場合においては、出射光軸Ｌ上に配置された第１ランプ４ａのみに対し、該第１ランプ４ａが正常に点灯されるか否かの検出を行う。そして、内視鏡用光源装置１は、前述した作用により、該第２ランプ４ｂに突入電流が流れる回数を抑制している。そのため、内視鏡用光源装置１は、図２のフローチャートに示す処理を行う場合と略同様に、図３のフローチャートに示す処理を行う場合においても、複数のランプのうち、観察に使用される一のランプ以外の、予備のランプの寿命を延ばすことができる。さらに、内視鏡用光源装置１は、図２のフローチャートに示す処理を行う場合と略同様に、図３のフローチャートに示す処理を行う場合においても、出射光軸Ｌ外のランプである第２ランプ４ｂの状態を検出するための処理を行う回数を従来に比べて減らすことができ、その結果、出射光軸Ｌ上のランプである第１ランプ４ａが使用可能な状態になるまでの時間を短縮することができる。
【００５９】
また、出射光軸Ｌ上に配置された第１ランプ４ａが消灯状態から点灯状態へと切り替えられた回数に基づいて処理対象となるランプが選択される処理を含む他の一例としての、図４のフローチャートに示す処理は、図２のフローチャートに示す処理の、ステップＳ９の処理の後にステップＳ９ａの処理が加えられているとともに、ステップＳ１５の処理の後にステップＳ１５ｃの処理が加えられている。
【００６０】
具体的には、図４のステップＳ９ａに示す処理において、出射光軸Ｌ上に配置された第１ランプ４ａが消灯状態から点灯状態へと切り替えられた回数（ＬＡＭＰ＿ＣＯＵＮＴ）がＣＰＵ１１ａによりカウントされた後、図４のステップＳ１５ｃに示す処理において、該回数（ＬＡＭＰ＿ＣＯＵＮＴ）がＮ回を超えたか否かがＣＰＵ１１ａにより判定される。そして、ＬＡＭＰ＿ＣＯＵＮＴがＮ回を超えた場合には、図４のステップＳ９ａに示す処理が引き続き行われる。一方、ＬＡＭＰ＿ＣＯＵＮＴがＮ回以下である場合には、図４のステップＳ８に示す処理が引き続き行われる。なお、図４のフローチャートに示す処理のうち、ステップＳ９ａ及びステップＳ１５ｃ以外の処理については、前述した、図２のフローチャートに示す処理と同様の処理であるため、ここでは説明を省略する。
【００６１】
内視鏡用光源装置１は、以上に述べた、図４のフローチャートに示す処理を行う場合、主電源スイッチ３ａがオンされた後、第１ランプ４ａが消灯状態から点灯状態へとＮ回切り替わるまでは、すなわち、ランプ電源スイッチ３ｂがオフ状態からオン状態へ切り替えられた回数がＮ回に達するまでは、出射光軸Ｌ上に配置された第１ランプ４ａと、出射光軸Ｌ外のランプである第２ランプ４ｂとが正常に点灯されるか否かを検出する。さらに、内視鏡用光源装置１は、以上に述べた、図４のフローチャートに示す処理を行う場合、主電源スイッチ３ａがオンされた後、第１ランプ４ａが消灯状態から点灯状態へとＮ回切り替わった以降においては、すなわち、ランプ電源スイッチ３ｂがオフ状態からオン状態へ切り替えられた回数がＮ回に達した以降においては、出射光軸Ｌ上に配置された第１ランプ４ａのみに対し、該第１ランプ４ａが正常に点灯されるか否かの検出を行う。そして、内視鏡用光源装置１は、前述した作用により、該第２ランプ４ｂに突入電流が流れる回数を抑制している。そのため、内視鏡用光源装置１は、図２のフローチャートに示す処理を行う場合と略同様に、図４のフローチャートに示す処理を行う場合においても、複数のランプのうち、観察に使用される一のランプ以外の、予備のランプの寿命を延ばすことができる。さらに、内視鏡用光源装置１は、図２のフローチャートに示す処理を行う場合と略同様に、図４のフローチャートに示す処理を行う場合においても、出射光軸Ｌ外のランプである第２ランプ４ｂの状態を検出するための処理を行う回数を従来に比べて減らすことができ、その結果、出射光軸Ｌ上のランプである第１ランプ４ａが使用可能な状態になるまでの時間を短縮することができる。
【００６２】
なお、前述した、図２、図３及び図４のフローチャートとして示す各処理は、例えば、内視鏡用光源装置１が２個以上の所定の数ランプを有する場合においても、一部の処理を該所定の数に応じた処理に変更することにより、内視鏡用光源装置１が２個のランプを有する場合と略同様の処理として適用可能である。
【００６３】
また、本実施形態のＣＰＵ１１ａは、一度主電源スイッチ３ａがオンされた際にランプ状態判定処理を行った処理回数を、図示しないメモリ等の記憶部に保存するための制御を行うとともに、再度主電源スイッチ３ａがオンされた際に、予め設定された所定の回数から前記処理回数を減じた回数分だけランプ状態判定処理を行うものであっても良い。さらに、ＣＰＵ１１ａにより前記記憶部に保存される前記処理回数は、主電源スイッチ３ａがオンされる毎にクリアされるものであっても良く、あるいは、都度保存されないものであっても良い。
【００６４】
また、本発明は、上述した実施形態に限定されるものではなく、発明の趣旨を逸脱しない範囲内において種々の変更や応用が可能であることは勿論である。
【図面の簡単な説明】
【００６５】
【図１】本実施形態に係る内視鏡用光源装置における、要部の構成の一例を示す図。
【図２】図１の内視鏡用光源装置が行う処理の一例を示すフローチャート。
【図３】図１の内視鏡用光源装置が行う処理の、図２とは異なる例を示すフローチャート。
【図４】図１の内視鏡用光源装置が行う処理の、図２及び図３とは異なる例を示すフローチャート。
【符号の説明】
【００６６】
１・・・内視鏡用光源装置、２・・・コネクタ、３・・・フロントパネル、３ａ・・・主電源スイッチ、３ｂ・・・ランプ電源スイッチ、３ｃ・・・モード切替スイッチ、４・・・照明ユニット、４ａ・・・第１ランプ、４ｂ・・・第２ランプ、５・・・集光光学系、６・・・絞り、７・・・ガイド材、８・・・絞り駆動部、９・・・照明ユニット駆動部、１０・・・ランプ制御部、１０ａ・・・ランプ駆動回路、１０ｂ・・・ランプ状態検出回路、１１・・・装置制御部、１１ａ・・・ＣＰＵ、１１ｂ・・・インターフェース回路、１０１・・・内視鏡、１０２・・・ライトガイド
【図１】
2007312929.tif 000003
【図２】
2007312929.tif 000004
【図３】
2007312929.tif 000005
【図４】
2007312929.tif 000006